(57)【要約】【課題】表示する画像に輝度の高い画素（白画素）と輝度の低い画素（黒画素）とが混在する場合には、適切な輝度で画像を表示することができないという問題が生じる。【解決手段】分割された一つの領域の画像の特徴量のみならず、画面全体の画像の特徴量を勘案して、分割された一つの領域のバックライトの輝度を設定することにより、入力された映像を適切に解析し、それぞれのシーンに応じて適切に、領域ごとのバックライトの輝度を制御することにより、上述した黒浮きの問題及び輝度不足の問題により、ユーザーに与える違和感を低減した表示装置を提供することをその目的とするものである。【選択図】図１
2012137509.tif 000002
【特許請求の範囲】
【請求項１】
映像を表示する表示パネルと、前記表示パネルの背面に設置され、前記表示パネルを複数の領域に分割し、領域ごとに配置された、複数のＬＥＤにより構成されるバックライトユニットと、
前記複数の領域に対して、所定の輝度により前記バックライトユニットを駆動するよう制御する駆動手段と、
前記分割された一つの領域の画像の特徴量を検出する第１検出手段と、
前記表示パネル全体の画像の特徴量を検出する第２検出手段とを備え、
前記駆動手段は、前記第１の検出手段と前記第２の検出手段により検出された領域ごとの画像の特徴量と表示パネル全体の画像の特徴量とに基づいて、各領域の前記ＬＥＤの輝度を決定することを特徴とする表示装置。
【請求項２】
前記第１検出手段は、分割された領域における画像について、少なくとも、輝度の平均値、最大値、最小値、周波数スペクトラムの低周波成分の大きさ、周波数スペクトラムの高周波成分の大きさ、輝度の最大値と最小値の差、輝度の最大値と最小値の平均値、領域内の特定色の面積、領域内の画素の分散値のいずれかを検出することを特徴とする請求項１記載の表示装置。
【請求項３】
前記第２検出手段は、表示パネル全体の画像について、少なくとも、輝度の平均値、最大値、最小値、周波数スペクトラムの低周波成分の大きさ、周波数スペクトラムの高周波成分の大きさ、輝度の最大値と最小値の差、輝度の最大値と最小値の平均値、領域内の特定色の面積、領域内の画素の分散値のいずれかを検出することを特徴とする請求項１記載の表示装置。
【請求項４】
前記第１検出手段は、少なくとも、分割された領域における画像の輝度の平均値、最大値、最小値を検出し、前記第２検出手段は、前記表示パネル全体の画像の平均輝度を検出し、前記第２検出手段により検出された平均輝度が所定の値以上の場合には、前記駆動手段は、前記第１検出手段により検出された輝度の最大値に基づいて、前記ＬＥＤを発光し、前記第２検出手段により検出された平均輝度が所定の値以下の場合には、前記駆動手段は、前記第１検出手段により検出された輝度の最小値に基づいて、前記ＬＥＤを発光し、前記第２検出手段により検出された平均輝度が所定の値の場合には、前記駆動手段は、前記第１検出手段により検出された輝度の平均値に基づいて、前記ＬＥＤを発光することを特徴とする請求項１記載の表示装置。
【請求項５】
前記表示装置は、さらに、輝度に応じて変化する所定の重み値を保持する保持手段を備え、
前記第１検出手段は、少なくとも、分割された領域における画像の輝度の平均値、最大値、最小値を検出し、前記第２検出手段は、前記表示パネル全体の画像の平均輝度を検出し、前記第２検出手段により検出された平均輝度が所定の値以上の場合には、前記駆動手段は、前記第１検出手段により検出された輝度の最大値及び平均値に前記保持手段に保持された重み値を乗算した値に基づいて、前記ＬＥＤを発光し、前記第２検出手段により検出された平均輝度が所定の値以下の場合には、前記駆動手段は、前記第１検出手段により検出された輝度の最小値及び平均値に前記保持手段に保持された重み値を乗算した値に基づいて、前記ＬＥＤを発光し、前記第２検出手段により検出された平均輝度が所定の値の場合には、前記駆動手段は、前記第１検出手段により検出された輝度の平均値に基づいて、前記ＬＥＤを発光することを特徴とする請求項１記載の表示装置。
【請求項６】
前記第１検出手段は、少なくとも、分割された領域における画像の輝度の平均値、最大値、最小値を検出し、前記第２検出手段は、前記表示パネル全体の画像の特定色の色面積を検出し、前記第２検出手段により検出された特定色の色面積が所定の値以上の場合には、前記駆動手段は、前記第１検出手段により検出された輝度の最大値に基づいて、前記ＬＥＤを発光し、前記第２検出手段により検出された特定色の色面積が所定の値以下の場合には、前記駆動手段は、前記第１検出手段により検出された輝度の最小値に基づいて、前記ＬＥＤを発光し、前記第２検出手段により検出された特定色の色面積が所定の値の場合には、前記駆動手段は、前記第１検出手段により検出された輝度の平均値に基づいて、前記ＬＥＤを発光することを特徴とする請求項１記載の表示装置。
【請求項７】
前記表示装置は、さらに、輝度に応じて変化する所定の重み値を保持する保持手段を備え、
前記第１検出手段は、少なくとも、分割された領域における画像の輝度の平均値、最大値、最小値を検出し、前記第２検出手段は、前記表示パネル全体の画像の特定色の色面積を検出し、前記第２検出手段により検出された特定色の色面積が所定の値以上の場合には、前記駆動手段は、前記第１検出手段により検出された輝度の最大値及び平均値に前記保持手段に保持された重み値を乗算した値に基づいて、前記ＬＥＤを発光し、前記第２検出手段により検出された特定色の色面積が所定の値以下の場合には、前記駆動手段は、前記第１検出手段により検出された輝度の最小値及び平均値に前記保持手段に保持された重み値を乗算した値に基づいて、前記ＬＥＤを発光し、前記第２検出手段により検出された特定色の色面積が所定の値の場合には、前記駆動手段は、前記第１検出手段により検出された輝度の平均値に基づいて、前記ＬＥＤを発光することを特徴とする請求項１記載の表示装置。
【請求項８】
前記第１検出手段は、少なくとも、分割された領域における画像の輝度の平均値、最大値、最小値を検出し、前記第２検出手段は、前記表示パネル全体の画像の画素の分散値を検出し、前記第２検出手段により検出された分散値が所定の値以上の場合には、前記駆動手段は、前記第１検出手段により検出された輝度の最大値に基づいて、前記ＬＥＤを発光し、前記第２検出手段により検出された分散値が所定の値以下の場合には、前記駆動手段は、前記第１検出手段により検出された輝度の最小値に基づいて、前記ＬＥＤを発光し、前記第２検出手段により検出された分散値が所定の値の場合には、前記駆動手段は、前記第１検出手段により検出された輝度の平均値に基づいて、前記ＬＥＤを発光することを特徴とする請求項１記載の表示装置。
【請求項９】
前記表示装置は、さらに、輝度に応じて変化する所定の重み値を保持する保持手段を備え、
前記第１検出手段は、少なくとも、分割された領域における画像の輝度の平均値、最大値、最小値を検出し、前記第２検出手段は、前記表示パネル全体の画像の画素の分散値を検出し、前記第２検出手段により検出された分散値が所定の値以上の場合には、前記駆動手段は、前記第１検出手段により検出された輝度の最大値及び平均値に前記保持手段に保持された重み値を乗算した値に基づいて、前記ＬＥＤを発光し、前記第２検出手段により検出された分散値が所定の値以下の場合には、前記駆動手段は、前記第１検出手段により検出された輝度の最小値及び平均値に前記保持手段に保持された重み値を乗算した値に基づいて、前記ＬＥＤを発光し、前記第２検出手段により検出された分散値が所定の値の場合には、前記駆動手段は、前記第１検出手段により検出された輝度の平均値に基づいて、前記ＬＥＤを発光することを特徴とする請求項１記載の表示装置。
【請求項１０】
前記第１検出手段は、少なくとも、分割された領域における画像の輝度の平均値、最大値、最小値を検出し、前記第２検出手段は、前記表示パネル全体の画像の空間周波数を検出し、前記第２検出手段により検出された空間周波数が所定の値以上の場合には、前記駆動手段は、前記第１検出手段により検出された輝度の最大値に基づいて、前記ＬＥＤを発光し、前記第２検出手段により検出された空間周波数が所定の値以下の場合には、前記駆動手段は、前記第１検出手段により検出された輝度の最小値に基づいて、前記ＬＥＤを発光し、前記第２検出手段により検出された空間周波数が所定の値の場合には、前記駆動手段は、前記第１検出手段により検出された輝度の平均値に基づいて、前記ＬＥＤを発光することを特徴とする請求項１記載の表示装置。
【請求項１１】
前記表示装置は、さらに、輝度に応じて変化する所定の重み値を保持する保持手段を備え、
前記第１検出手段は、少なくとも、分割された領域における画像の輝度の平均値、最大値、最小値を検出し、前記第２検出手段は、前記表示パネル全体の画像の空間周波数を検出し、前記第２検出手段により検出された空間周波数が所定の値以上の場合には、前記駆動手段は、前記第１検出手段により検出された輝度の最大値及び平均値に前記保持手段に保持された重み値を乗算した値に基づいて、前記ＬＥＤを発光し、前記第２検出手段により検出された空間周波数が所定の値以下の場合には、前記駆動手段は、前記第１検出手段により検出された輝度の最小値及び平均値に前記保持手段に保持された重み値を乗算した値に基づいて、前記ＬＥＤを発光し、前記第２検出手段により検出された空間周波数が所定の値の場合には、前記駆動手段は、前記第１検出手段により検出された輝度の平均値に基づいて、前記ＬＥＤを発光することを特徴とする請求項１記載の表示装置。
【請求項１２】
前記第１検出手段は、少なくとも、分割された領域における画像の輝度の平均値、最大値、特定色の色面積を検出し、前記第２検出手段は、前記表示パネル全体の画像の平均輝度を検出し、前記第２検出手段により検出された平均輝度が所定の値以上の場合には、前記駆動手段は、前記第１検出手段により検出された特定色の色面積に応じた輝度に基づいて、前記ＬＥＤを発光し、前記第２検出手段により検出された平均輝度が所定の値以下の場合には、前記駆動手段は、前記第１検出手段により検出された輝度の平均値に基づいて、前記ＬＥＤを発光し、前記第２検出手段により検出された平均輝度が所定の値の場合には、前記駆動手段は、前記第１検出手段により検出された輝度の最大値に基づいて、前記ＬＥＤを発光することを特徴とする請求項１記載の表示装置。
【請求項１３】
前記表示装置は、さらに、輝度に応じて変化する所定の重み値を保持する保持手段を備え、
前記第１検出手段は、少なくとも、分割された領域における画像の輝度の平均値、最大値、特定色の色面積を検出し、前記第２検出手段は、前記表示パネル全体の画像の平均輝度を検出し、前記第２検出手段により検出された平均輝度が所定の値以上の場合には、前記駆動手段は、前記第１検出手段により検出された特定色の色面積に応じた輝度及び輝度の最大値に前記保持手段に保持された重み値を乗算した値に基づいて、前記ＬＥＤを発光し、前記第２検出手段により検出された平均輝度が所定の値以下の場合には、前記駆動手段は、前記第１検出手段により検出された輝度の平均値及び輝度の最大値に前記保持手段に保持された重み値を乗算した値に基づいて、前記ＬＥＤを発光し、前記第２検出手段により検出された平均輝度が所定の値の場合には、前記駆動手段は、前記第１検出手段により検出された輝度の最大値に基づいて、前記ＬＥＤを発光することを特徴とする請求項１記載の表示装置。
【請求項１４】
前記第１検出手段は、少なくとも、分割された領域における画像の輝度の平均値、最大値、特定色の色面積を検出し、前記第２検出手段は、前記表示パネル全体の画像の特定色の色面積を検出し、前記第２検出手段により検出された特定色の色面積が所定の値以上の場合には、前記駆動手段は、前記第１検出手段により検出された特定色の色面積に応じた輝度に基づいて、前記ＬＥＤを発光し、前記第２検出手段により検出された特定色の色面積が所定の値以下の場合には、前記駆動手段は、前記第１検出手段により検出された輝度の平均値に基づいて、前記ＬＥＤを発光し、前記第２検出手段により検出された特定色の色面積が所定の値の場合には、前記駆動手段は、前記第１検出手段により検出された輝度の最大値に基づいて、前記ＬＥＤを発光することを特徴とする請求項１記載の表示装置。
【請求項１５】
前記表示装置は、さらに、輝度に応じて変化する所定の重み値を保持する保持手段を備え、
前記第１検出手段は、少なくとも、分割された領域における画像の輝度の平均値、最大値、特定色の色面積を検出し、前記第２検出手段は、前記表示パネル全体の画像の特定色の色面積を検出し、前記第２検出手段により検出された特定色の色面積が所定の値以上の場合には、前記駆動手段は、前記第１検出手段により検出された特定色の色面積に応じた輝度及び輝度の最大値に前記保持手段に保持された重み値を乗算した値に基づいて、前記ＬＥＤを発光し、前記第２検出手段により検出された特定色の色面積が所定の値以下の場合には、前記駆動手段は、前記第１検出手段により検出された輝度の平均値及び輝度の最大値に前記保持手段に保持された重み値を乗算した値に基づいて、前記ＬＥＤを発光し、前記第２検出手段により検出された特定色の色面積が所定の値の場合には、前記駆動手段は、前記第１検出手段により検出された輝度の最大値に基づいて、前記ＬＥＤを発光することを特徴とする請求項１記載の表示装置。
【請求項１６】
前記第１検出手段は、少なくとも、分割された領域における画像の輝度の平均値、最大値、特定色の色面積を検出し、前記第２検出手段は、前記表示パネル全体の画像の画素の分散値を検出し、前記第２検出手段により検出された分散値が所定の値以上の場合には、前記駆動手段は、前記第１検出手段により検出された特定色の色面積に応じた輝度に基づいて、前記ＬＥＤを発光し、前記第２検出手段により検出された分散値が所定の値以下の場合には、前記駆動手段は、前記第１検出手段により検出された輝度の平均値に基づいて、前記ＬＥＤを発光し、前記第２検出手段により検出された分散値が所定の値の場合には、前記駆動手段は、前記第１検出手段により検出された輝度の最大値に基づいて、前記ＬＥＤを発光することを特徴とする請求項１記載の表示装置。
【請求項１７】
前記表示装置は、さらに、輝度に応じて変化する所定の重み値を保持する保持手段を備え、
前記第１検出手段は、少なくとも、分割された領域における画像の輝度の平均値、最大値、特定色の色面積を検出し、前記第２検出手段は、前記表示パネル全体の画像の画素の分散値を検出し、前記第２検出手段により検出された分散値が所定の値以上の場合には、前記駆動手段は、前記第１検出手段により検出された特定色の色面積及び輝度の最大値に応じた輝度に前記保持手段に保持された重み値を乗算した値に基づいて、前記ＬＥＤを発光し、前記第２検出手段により検出された分散値が所定の値以下の場合には、前記駆動手段は、前記第１検出手段により検出された輝度の平均値及び輝度の最大値に前記保持手段に保持された重み値を乗算した値に基づいて、前記ＬＥＤを発光し、前記第２検出手段により検出された分散値が所定の値の場合には、前記駆動手段は、前記第１検出手段により検出された輝度の最大値に基づいて、前記ＬＥＤを発光することを特徴とする請求項１記載の表示装置。
【請求項１８】
前記第１検出手段は、少なくとも、分割された領域における画像の輝度の平均値、最大値、特定色の色面積を検出し、前記第２検出手段は、前記表示パネル全体の画像の空間周波数を検出し、前記第２検出手段により検出された空間周波数が所定の値以上の場合には、前記駆動手段は、前記第１検出手段により検出された特定色の色面積に応じた輝度に基づいて、前記ＬＥＤを発光し、前記第２検出手段により検出された空間周波数が所定の値以下の場合には、前記駆動手段は、前記第１検出手段により検出された輝度の平均値に基づいて、前記ＬＥＤを発光し、前記第２検出手段により検出された空間周波数が所定の値の場合には、前記駆動手段は、前記第１検出手段により検出された輝度の最大値に基づいて、前記ＬＥＤを発光することを特徴とする請求項１記載の表示装置。
【請求項１９】
前記表示装置は、さらに、輝度に応じて変化する所定の重み値を保持する保持手段を備え、
前記第１検出手段は、少なくとも、分割された領域における画像の輝度の平均値、最大値、特定色の色面積を検出し、前記第２検出手段は、前記表示パネル全体の画像の空間周波数を検出し、前記第２検出手段により検出された空間周波数が所定の値以上の場合には、前記駆動手段は、前記第１検出手段により検出された特定色の色面積に応じた輝度及び輝度の最大値に前記保持手段に保持された重み値を乗算した値に基づいて、前記ＬＥＤを発光し、前記第２検出手段により検出された空間周波数が所定の値以下の場合には、前記駆動手段は、前記第１検出手段により検出された輝度の平均値及び輝度の最大値に前記保持手段に保持された重み値を乗算した値に基づいて、前記ＬＥＤを発光し、前記第２検出手段により検出された空間周波数が所定の値の場合には、前記駆動手段は、前記第１検出手段により検出された輝度の最大値に基づいて、前記ＬＥＤを発光することを特徴とする請求項１記載の表示装置。
【請求項２０】
前記表示装置は、さらに、前記表示パネル全体の画像のうち、特定領域を除いた画像について特徴量を検出する第３検出手段を備え、
前記駆動手段は、前記第１の検出手段と前記第３の検出手段により検出された領域ごとの画像の特徴量と表示パネル全体の画像の特徴量とに基づいて、各領域の前記ＬＥＤの輝度を決定することを特徴とする請求項１から１９のいずれかに記載の表示装置。
【請求項２１】
前記表示装置は、さらに、前記表示パネル上におけるＯＳＤ領域の有無を判別する判別手段を備え、
前記判別手段により、ＯＳＤ領域が検出された場合には、前記駆動手段は、ＯＳＤが表示されている領域については固定された輝度でＬＥＤを駆動することを特徴とする請求項１から２０のいずれかに記載の表示装置。
【請求項２２】
前記表示装置は、さらに、入力された映像の種別を識別する識別手段を備え、
前記駆動手段は、前記第１の検出手段と前記第２の検出手段により検出された領域ごとの画像の特徴量と表示パネル全体の画像の特徴量と前記識別手段により識別された番組の種別に基づいて、各領域の前記ＬＥＤの輝度を決定することを特徴とする請求項１から１３のいずれかに表示装置。
【発明の詳細な説明】
【技術分野】
【０００１】
本発明は、動画表示性能を向上するための、表示パネルの背面に設置された複数のＬＥＤバックライトを備えた表示装置及び表示装置の駆動方法に関する。
【背景技術】
【０００２】
従来の表示装置においては、表示画面を複数の領域に分割して、分割領域ごとに輝度を変更することにより、表示パネルの画質を向上させる技術が知られている（例えば、特許文献１、２）。また、表示画面を複数の領域に分割して、分割領域ごとに輝度を変更することにより生じる、領域間の違和感を軽減するために、対象ブロックと周辺領域との輝度差を抑制することにより、画面の違和感を緩和する技術が知られている（例えば、特許文献３）。さらに、別の方法として、表示画面を複数の領域に分割して、分割領域ごとに輝度を変更することにより生じる、領域間の違和感を軽減するために、隣り合うブロック同士の境界部にＬＥＤを配置する技術が知られている（例えば、特許文献４）。
【先行技術文献】
【特許文献】
【０００３】
【特許文献１】特開２００４−２４６１１７号公報
【特許文献２】特開２００７−２１９２３４号公報
【特許文献３】特開２００８−９００７６号公報
【特許文献４】特開２００７−２９３３３９号公報
【発明の概要】
【発明が解決しようとする課題】
【０００４】
しかしながら、上述した技術を採用した場合であっても、表示する画像に輝度の高い画素（白画素）と輝度の低い画素（黒画素）とが混在する場合には、適切な輝度で画像を表示することができないという問題が生じる。
【０００５】
具体的に、図２３及び図２４を参照しながら、説明する。図２３のＡは、表示パネルにおける画像の表示内容を示しており、図２３のＢは、バックライトの表示内容を示しており、図２３のＣは、図２３のＡとＢとを組み合わせた表示内容を示している。この図２３においては、黒画素と白画素が混在する場合（画面の中央の分割領域）、白画素を明るく表示するためにバックライトを高輝度に設定した場合の処理について説明している。この図２３に示すように、バックライトを高輝度に設定した場合には、図２３のＣに示すように、黒を表示すべき領域についてもバックライトを高輝度に設定していることから、黒ではなくグレーを表示することとなり、いわゆる黒浮きの問題が生じる。
【０００６】
同様に、図２４のＡは、表示パネルにおける画像の表示内容を示しており、図２４のＢは、バックライトの表示内容を示しており、図２４のＣは、図２４のＡとＢとを組み合わせた表示内容を示している。この図２４においては、上述した図２３とは異なり、黒画素と白画素が混在する場合（画面の中央の分割領域）、白画素を明るく表示するためにバックライトを低輝度に設定した場合の処理について説明している。この図２４に示すように、バックライトを低輝度に設定した場合には、図２４のＣに示すように、黒を表示すべき領域については黒を表示することが可能になるものの、白を表示すべき領域においては、白ではなくグレーを表示することとなり、輝度不足の問題が生じる。
【０００７】
このような問題に対して、本発明においては、入力された映像を適切に解析し、それぞれのシーンに応じて適切に、領域ごとのバックライトの輝度を制御することにより、上述した黒浮きの問題及び輝度不足の問題により、ユーザーに与える違和感を低減した表示装置を提供することをその目的とするものである。
【課題を解決するための手段】
【０００８】
本発明は、映像を表示する表示パネルと、前記表示パネルの背面に設置され、前記表示パネルを複数の領域に分割し、領域ごとに配置された、複数のＬＥＤにより構成されるバックライトユニットと、前記複数の領域に対して、所定の輝度により前記バックライトユニットを駆動するよう制御する駆動手段と、前記分割された一つの領域の画像の特徴量を検出する第１検出手段と、前記表示パネル全体の画像の特徴量を検出する第２検出手段とを備え、前記駆動手段は、前記第１の検出手段と前記第２の検出手段により検出された領域ごとの画像の特徴量と表示パネル全体の画像の特徴量とに基づいて、各領域の前記ＬＥＤの輝度を決定することを特徴とする表示装置である。
【発明の効果】
【０００９】
本発明においては、上述した構成により、分割された一つの領域の画像の特徴量のみならず、画面全体の画像の特徴量を勘案して、分割された一つの領域のバックライトの輝度を設定することが可能になるため、黒浮き及び輝度不足が目立たないようにバックライトの輝度を設定することが可能になり、ユーザーに与える違和感を低減することが可能になるものである。
【図面の簡単な説明】
【００１０】
【図１】本発明の表示装置の全体構成を示すブロック図
【図２】本発明の表示装置の一部の構成を示すブロック図
【図３】本発明の表示装置の一部の構成を示すブロック図
【図４】本発明の表示装置の一部の構成を示すブロック図
【図５】本発明の表示装置の一部の構成を示すブロック図
【図６】本発明の表示装置の一部の構成を示すブロック図
【図７】本発明の表示装置の一部の構成を示すブロック図
【図８】本発明の表示装置の一部の構成を示すブロック図
【図９】本発明の表示装置の一部の構成を示すブロック図
【図１０】本発明の表示装置において設定される輝度を示す図
【図１１】本発明の表示装置において設定される輝度を示す図
【図１２】本発明の表示装置において設定される輝度を示す図
【図１３】本発明の表示装置において設定される輝度を示す図
【図１４】本発明の表示装置において設定される輝度を示す図
【図１５】本発明の表示装置において設定される輝度を示す図
【図１６】本発明の表示装置において設定される輝度を示す図
【図１７】本発明の表示装置において設定される輝度を示す図
【図１８】本発明の表示装置において設定される輝度を示す図
【図１９】レターボックス方式、サイドバー方式の画面を示す図
【図２０】ＯＳＤが表示された画面を示す図
【図２１】本発明の表示装置の一部の構成を示すブロック図
【図２２】本発明の表示装置の全体構成を示すブロック図
【図２３】従来の表示装置における画面の表示内容を説明する図
【図２４】従来の表示装置における画面の表示内容を説明する図
【発明を実施するための形態】
【００１１】
（実施例）
本発明について、図１から図２２を参照しながら、説明する。なお、本実施の形態において説明した表示装置及び表示装置の駆動方法はその一例であって、本発明はこれに限定されるものではない。
＜１−１、表示装置の全体構成について＞
最初に、図１の本発明の表示装置の全体構成を示すブロック図を参照しながら、本発明の表示装置の各構成について詳細に説明する。本発明の表示装置は、入力映像を表示する表示パネル１００と、その表示パネル１００の駆動を制御するパネル駆動手段１０２と、表示パネル１００の背面に設置され、複数のＬＥＤにより構成されたバックライトユニット１０４と、そのバックライトユニット１０４を、表示パネル１００を概念的に複数の領域に分割し、領域ごとにＬＥＤを駆動する駆動手段１０６と、検出手段の一例として画面全体の平均輝度レベルを検出する全画面特徴量検出手段１０８と、処理の対象となる領域における輝度の最大値、最小値、平均値を検出する領域内特徴量検出手段１１０と、上述した全画面特徴量検出手段１０８と領域内特徴量検出手段１１０との検出結果に基づいて、当該領域の輝度を決定する領域輝度決定手段１１２とにより構成されている。
【００１２】
なお、上述した表示パネル１００を概念的に複数の領域に分割する方法としては、水平方向での分割又は垂直方向での分割のみならず、垂直及び水平方向により分割することも可能である。また、表示パネル１００としては、液晶パネルのみならず、バックライトユニットを必要とするパネルであれば、本発明を適用することが可能である。
【００１３】
また、全画面特徴量検出手段１０８では、分割された領域における画像について、少なくとも、輝度の平均値、最大値、最小値、周波数スペクトラムの低周波成分の大きさ、周波数スペクトラムの高周波成分の大きさ、輝度の最大値と最小値の差、輝度の最大値と最小値の平均値、領域内の特定色の面積、領域内の画素の分散値のいずれかを検出する。
【００１４】
また、領域内特徴量検出手段１１０では、表示パネル全体の画像について、少なくとも、輝度の平均値、最大値、最小値、周波数スペクトラムの低周波成分の大きさ、周波数スペクトラムの高周波成分の大きさ、輝度の最大値と最小値の差、輝度の最大値と最小値の平均値、領域内の特定色の面積、領域内の画素の分散値のいずれかを検出する。
【００１５】
また、上述した表示装置においては、駆動手段１０６と、領域輝度決定手段１１２を別の回路ブロックにより構成しているが、本発明はこれに限定されるものではなく、駆動手段１０６内に領域輝度決定手段１１２の構成を設ける構成とすることも可能である。
【００１６】
また、上述した表示装置においては、入力映像がそのまま液晶パネル駆動回路に入力されているが、領域ごとのバックライトの輝度に応じて映像信号の補正を行うような構成になっていても良い。
＜１−２、全画面特徴量検出手段１０８と領域内特徴量検出手段１１０の構成について＞
次に、全画面特徴量検出手段１０８と領域内特徴量検出手段１１０の構成について、図２乃至図９を参照しながら、より詳細に説明する。図２に示すように、領域内特徴量検出手段１１０は、処理の対象となる領域の輝度の最大値を検出する最大値検出手段４００と、処理の対象となる領域の輝度の最小値を検出する最小値検出手段４０２と、処理の対象となる領域の輝度の平均値を検出する平均値検出手段４０４とにより構成されている。一方、図２に示すように、全画面特徴量検出手段１０８は、フレームメモリを備え（図示せず）、１画面における輝度の平均値を検出する平均値検出手段２０６により構成されている。
【００１７】
また、別の構成としては、図３に示すように、領域内特徴量検出手段１１０は、処理の対象となる領域の輝度の最大値を検出する最大値検出手段４００と、処理の対象となる領域の輝度の最小値を検出する最小値検出手段４０２と、処理の対象となる領域の輝度の平均値を検出する平均値検出手段４０４とにより構成されている。一方、図３に示すように、全画面特徴量検出手段１０８は、フレームメモリを備え（図示せず）、１画面における画素の分散値を検出する分散値検出手段４０６により構成されている。
【００１８】
さらに、別の構成としては、図４に示すように、領域内特徴量検出手段１１０は、処理の対象となる領域の輝度の最大値を検出する最大値検出手段４００と、処理の対象となる領域の輝度の最小値を検出する最小値検出手段４０２と、処理の対象となる領域の輝度の平均値を検出する平均値検出手段４０４とにより構成されている。一方、図４に示すように、全画面特徴量検出手段１０８は、フレームメモリを備え（図示せず）、１画面における画素の周波数成分を検出する周波数成分検出手段４０６により構成されている。
【００１９】
さらに、別の構成としては、図５に示すように、領域内特徴量検出手段１１０は、処理の対象となる領域の輝度の最大値を検出する最大値検出手段４００と、処理の対象となる領域の輝度の最小値を検出する最小値検出手段４０２と、処理の対象となる領域の輝度の平均値を検出する平均値検出手段４０４とにより構成されている。一方、図５に示すように、全画面特徴量検出手段１０８は、フレームメモリを備え（図示せず）、１画面における特定色の色面積を検出する色面積検出手段４０６により構成されている。
【００２０】
さらに、別の構成としては、図６に示すように、領域内特徴量検出手段１１０は、処理の対象となる領域の特定色の色面積を検出する特定色検出手段４００と、処理の対象となる領域の輝度の最大値を検出する最大値検出手段４０２と、処理の対象となる領域の輝度の平均値を検出する平均値検出手段４０４とにより構成されている。一方、図６に示すように、全画面特徴量検出手段１０８は、フレームメモリを備え（図示せず）、１画面における輝度の平均値を検出する平均値検出手段４０６により構成されている。
【００２１】
また、別の構成としては、図７に示すように、領域内特徴量検出手段１１０は、処理の対象となる領域の特定色の色面積を検出する特定色検出手段４００と、処理の対象となる領域の輝度の最大値を検出する最大値検出手段４０２と、処理の対象となる領域の輝度の平均値を検出する平均値検出手段４０４とにより構成されている。一方、図７に示すように、全画面特徴量検出手段１０８は、フレームメモリを備え（図示せず）、１画面における画素の分散値を検出する分散値検出手段４０６により構成されている。
【００２２】
さらに、別の構成としては、図８に示すように、領域内特徴量検出手段１１０は、処理の対象となる領域の特定色の色面積を検出する特定色検出手段４００と、処理の対象となる領域の輝度の最大値を検出する最大値検出手段４０２と、処理の対象となる領域の輝度の平均値を検出する平均値検出手段４０４とにより構成されている。一方、図８に示すように、全画面特徴量検出手段１０８は、フレームメモリを備え（図示せず）、１画面における画素の周波数成分を検出する周波数成分検出手段４０６により構成されている。
【００２３】
さらに、別の構成としては、図９に示すように、領域内特徴量検出手段１１０は、処理の対象となる領域の特定色の色面積を検出する特定色検出手段４００と、処理の対象となる領域の輝度の最大値を検出する最大値検出手段４０２と、処理の対象となる領域の輝度の平均値を検出する平均値検出手段４０４とにより構成されている。一方、図９に示すように、全画面特徴量検出手段１０８は、フレームメモリを備え（図示せず）、１画面における特定色の色面積を検出する色面積検出手段４０６により構成されている。
【００２４】
以上のように、全画面特徴量検出手段１０８と領域内特徴量検出手段１１０のいずれも種々のパラメータを検出することが可能である。また、複数のパラメータを組み合わせることも可能である。
つまり、領域内特徴量検出手段１１０は、分割された領域における画像について、輝度の平均値、最大値、最小値、低周波成分検出値（周波数スペクトルの低周波成分の大きさ）、高周波成分検出値（周波数スペクトルの高周波成分の大きさ）、ダイナミックレンジ（輝度の最大値と最小値の差）、輝度の最大値と最小値の平均値、領域内の特定色の面積、領域内の画素の分散値（ヒストグラムの分布を表す値）を検出することが可能である。
また、全画面特徴量検出手段１０８は、表示パネル全体の画像について、輝度の平均値、最大値、最小値、低周波成分検出値（周波数スペクトルの低周波成分の大きさ）、高周波成分検出値（周波数スペクトルの高周波成分の大きさ）、ダイナミックレンジ（輝度の最大値と最小値の差）、輝度の最大値と最小値の平均値、領域内の特定色の面積、領域内の画素の分散値（ヒストグラムの分布を表す値）を検出することが可能である。
ここで、周波数スペクトラムの低周波成分とは、画像の変化が少ない平坦な部分の情報をもつ領域であり、一方、周波数スペクトラムの高周波成分とは、画像が急激に変化する部分の情報をもつ、例えば、輪郭部分のような領域を意味している。
また、特定色の面積とは、ある特定の範囲の色を持つ画素の面積を意味する。例えば、黒色、白色、赤色、黄色、緑色などの特定の色に着目し、全体の面積のうち、それらの色が占める面積を意味している。なお、面積の計算を行う際に、領域内の位置に応じて重み付けを行い、重み付け加算した値を面積としても良い。
また、画素の分散値とは、対称となる領域における明部と暗部の差、いわゆるコントラストを意味している。
本発明においては、これらのパラメータを自由に組み合わせて、全画面特徴量検出手段１０８と領域内特徴量検出手段１１０により、全画面及び領域内の種々の特徴量を検出することが可能である。
＜１−３、領域輝度決定手段１１２の構成について＞
次に、上述した全画面特徴量検出手段１０８と領域内特徴量検出手段１１０に対して、処理の対象となる領域の輝度を決定する輝度決定手段４０８について、図１０乃至図１８を参照しながら説明する。
図２に示すように、輝度決定手段４０８においては、全画面特徴量検出手段１０８と領域内特徴量検出手段１１における検出結果が入力される。これらの検出結果に基づいて、輝度決定手段４０８においては、対象となる分割領域に対応するバックライトユニット１０４のＬＥＤの発光輝度が決定される。
（第１の処理方法）
図１０は、横軸は、全画面特徴量検出手段１０８が検出した全画面における平均輝度を示しており、一方、縦軸は、領域内特徴量検出手段１１０により検出した最大値、平均値、最小値に対して乗算する重み値を示している。
この図１０から明らかなように、全画面特徴量検出手段１０８が検出した全画面における平均輝度が所定の値Ａ以上の場合、つまり、画面全体が明るいシーンの場合には、領域内特徴量検出手段１１０により検出した最大値の輝度により対象となるバックライトユニット１０４のＬＥＤの発光輝度を決定する。
一方、全画面特徴量検出手段１０８が検出した全画面における平均輝度が所定の値Ｂ以下の場合、つまり、画面全体が暗いシーンの場合には、領域内特徴量検出手段１１０により検出した最小値の輝度により対象となるバックライトユニット１０４のＬＥＤの発光輝度を決定する。
【００２５】
さらに、全画面特徴量検出手段１０８が検出した全画面における平均輝度が所定の値Ｃの場合、つまり、画面全体が中間色のシーンの場合には、領域内特徴量検出手段１１０により検出した平均値の輝度により対象となるバックライトユニット１０４のＬＥＤの発光輝度を決定する。
【００２６】
このように、全画面特徴量検出手段１０８が検出した全画面における特徴量により、表示パネル１００に表示するシーンが明るいシーンであるか、暗いシーンであるかを判別することが可能になる。これに対して、輝度決定手段４０８では、明るいシーンの場合（つまりピーク輝度が必要とされる場合）には、処理の対象となる領域内における最大の輝度によりバックライトユニット１０４のＬＥＤで発光することから、輝度不足という問題を解消することが可能になる。
一方、輝度決定手段４０８では、暗いシーンの場合（つまり、黒浮きの抑制が必要とされる場合）には、処理の対象となる領域内における最小の輝度によりバックライトユニット１０４のＬＥＤで発光することから、黒浮きの抑制が可能になるものである。
また、輝度決定手段４０８では、中間の明るさのシーンの場合（つまり、黒浮きとピーク輝度のバランスをとる必要がある場合）には、処理の対象となる領域内における平均の輝度によりバックライトユニット１０４のＬＥＤで発光することから、バランスの取れた表示を行うことが可能になるものである。
【００２７】
以上のような処理により、領域毎の特徴量は、少なくとも1種類の特徴量を検出し、それら検出された特徴量をどのように用いてバックライト輝度を計算するかは、全画面特徴量の検出結果によって決定されることとなる。
具体的には、全画面特徴量として平均値を用いることで、表示しようとするシーンが明るいシーンなのか、暗いシーンなのか判別することが可能になる。暗いシーンでは黒浮きの抑制が重要となるので、領域ごとのバックライト輝度は領域内の画素の最小値によって決定される。
一方、明るいシーンではピーク輝度が必要となるので、領域内の画素の最大値によって領域のバックライト輝度が決定される。また、中間の明るさのシーンでは、黒浮きとピーク輝度のバランスを取る必要があるため、領域内の画素の平均値によって領域のバックライト輝度が決定される。
【００２８】
このような処理により、黒浮き及び輝度不足の問題を抑制し、ユーザーに違和感を与えない映像を提供することが可能になるものである。
【００２９】
なお、上述した説明においては、全画面の特徴量として、平均の輝度を使用したが、本発明はこれに限定されるものではなく、図１１に示すように画素の分散値を使用する構成を採用することも可能であり、図１２に示すように画素の周波数成分を使用する構成を採用することも可能であり、図１３に示すように特定色の色面積を使用する構成を採用することも可能である。
【００３０】
図１１から明らかなように、画素の分散値が大きい場合には、領域内で検出された輝度の最大値により発光輝度を設定し、画素の分散値が小さい場合には、領域内で検出された輝度の最小値により発光輝度を設定し、画素の分散値が中間の場合には、領域内で検出された輝度の中間値により発光輝度を設定する。
【００３１】
また、図１２から明らかなように、画素の周波数成分が大きい場合には、領域内で検出された輝度の最大値により発光輝度を設定し、画素の周波数成分が小さい場合には、領域内で検出された輝度の最小値により発光輝度を設定し、画素の周波数成分が中間の場合には、領域内で検出された輝度の中間値により発光輝度を設定する。
【００３２】
また、図１３から明らかなように、特定色の色面積（例えば、特定色が白の場合）が大きい場合には、領域内で検出された輝度の最大値により発光輝度を設定し、特定色の色面積が小さい場合には、領域内で検出された輝度の最小値により発光輝度を設定し、画素の分散値が中間の場合には、領域内で検出された輝度の中間値により発光輝度を設定する。
なお、当然のことながら、特定色が黒色の場合には、上述した白の場合と発光輝度の設定が反対となる。具体的には、特定色の色面積が大きい場合には、領域内で検出された輝度の最小値により発光輝度を設定し、特定色の色面積が小さい場合には、領域内で検出された輝度の最大値により発光輝度を設定し、画素の分散値が中間の場合には、領域内で検出された輝度の中間値により発光輝度を設定する。
【００３３】
このような処理により、分割された各領域の発光輝度を設定する際に、全画面のシーンの特徴を考慮して、分割された領域の発光輝度を設定することから、黒浮き及び輝度不足の問題を抑制することが可能になり、ユーザーに違和感を与えない映像を提供することが可能になるものである。
【００３４】
また、上述した説明においては、分割した領域の特徴量として、輝度の最大値、最小値、平均値を使用したが、本発明はこれに限定されるものではなく、図１４に示すように分割された領域の特徴量として輝度の最大値、平均値、特定色の色面積に対応した輝度を使用し、全画面の特徴量として輝度の平均値を採用する構成を採用することも可能であり、図１５に示すように分割された領域の特徴量として輝度の最大値、平均値、特定色の色面積に対応した輝度を使用し、全画面の特徴量として画素の分散値を採用する構成を採用することも可能であり、図１６に示すように分割された領域の特徴量として輝度の最大値、平均値、特定色の色面積に対応した輝度を使用し、全画面の特徴量として画素の周波数成分を使用する構成を採用することも可能であり、図１７に示すように分割された領域の特徴量として輝度の最大値、平均値、特定色の色面積に対応した輝度を使用し、全画面の特徴量として特定色の色面積を使用する構成を採用することも可能である。
【００３５】
この場合、図１４から明らかなように、全画面の特徴量として輝度の平均値が高い場合には、領域内で検出された特定色の色面積（例えば、特定色が白の場合）に対応した輝度により発光輝度を設定し、輝度の平均値が小さい場合には、領域内で検出された平均輝度により発光輝度を設定し、輝度の平均値が中間の場合には、領域内で検出された輝度の最大値により発光輝度を設定する。
【００３６】
また、図１５から明らかなように、画素の分散値が大きい場合には、領域内で検出された特定色の色面積に対応した輝度により発光輝度を設定し、画素の分散値が小さい場合には、領域内で検出された平均輝度により発光輝度を設定し、画素の分散値が中間の場合には、領域内で検出された輝度の最大値により発光輝度を設定する。
【００３７】
また、図１６から明らかなように、画素の周波数成分が大きい場合には、領域内で検出された特定色の色面積に対応した輝度により発光輝度を設定し、画素の周波数成分が小さい場合には、領域内で検出された平均輝度により発光輝度を設定し、画素の周波数成分が中間の場合には、領域内で検出された輝度の最大値により発光輝度を設定する。
【００３８】
また、図１７から明らかなように、特定色の色面積が大きい場合には、領域内で検出された特定色の色面積に対応した輝度により発光輝度を設定し、特定色の色面積が小さい場合には領域内で検出された平均輝度により発光輝度を設定し、画素の分散値が中間の場合には、領域内で検出された輝度の最大値により発光輝度を設定する。
なお、当然のことながら、特定色が黒色の場合には、上述した白の場合と発光輝度の設定が反対となる。具体的には、特定色の色面積が大きい場合には、領域内で検出された輝度の平均輝度により発光輝度を設定し、特定色の色面積が小さい場合には、領域内で検出された特定色の色面積に対応した輝度により発光輝度を設定し、画素の分散値が中間の場合には、領域内で検出された輝度の最大値により発光輝度を設定する。
【００３９】
このような処理により、分割された各領域の発光輝度を設定する際に、全画面のシーンの特徴を考慮して、分割された領域の発光輝度を設定することから、黒浮き及び輝度不足の問題を抑制することが可能になり、ユーザーに違和感を与えない映像を提供することが可能になるものである。
（第２の処理方法）
次に、第２の処理方法について説明する。第１の処理方法と異なる点は、図示していないが、輝度に応じて変化する所定の重み値を保持する保持手段を設け、上述した領域内特徴量検出手段１１０により検出した値に、保持手段により保持している重み値を乗算して輝度決定手段４０８においてバックライトユニット１０４のＬＥＤの発光輝度を決定する点である。これにより、より細かく発光輝度を設定することが可能になり、第１の処理方法以上に黒浮き及び輝度不足の問題を抑制することが可能になり、ユーザーに違和感を与えない映像を提供することが可能になるものである。
【００４０】
この図１０から明らかなように、全画面特徴量検出手段１０８が検出した全画面における平均輝度が所定の値Ｄ以上の場合、つまり、画面全体が明るいシーンの場合には、領域内特徴量検出手段１１０により検出した輝度の最大値及び平均値に前記保持手段に保持された重み値を乗算した値により、対象となるバックライトユニット１０４のＬＥＤの発光輝度を決定する。
一方、全画面特徴量検出手段１０８が検出した全画面における平均輝度が所定の値Ｅ以下の場合、つまり、画面全体が暗いシーンの場合には、領域内特徴量検出手段１１０により検出した輝度の最小値及び平均値に前記保持手段に保持された重み値を乗算した値により対象となるバックライトユニット１０４のＬＥＤの発光輝度を決定する。
【００４１】
さらに、全画面特徴量検出手段１０８が検出した全画面における平均輝度が所定の値Ｆの場合、つまり、画面全体が中間色のシーンの場合には、領域内特徴量検出手段１１０により検出した平均値の輝度により対象となるバックライトユニット１０４のＬＥＤの発光輝度を決定する。
【００４２】
このように、全画面特徴量検出手段１０８が検出した全画面における特徴量により、表示パネル１００に表示するシーンが明るいシーンであるか、暗いシーンであるかを判別することが可能になる。これに対して、輝度決定手段４０８では、明るいシーンの場合（つまりピーク輝度が必要とされる場合）には、処理の対象となる領域内における輝度の最大値及び平均値に前記保持手段に保持された重み値を乗算した値によりバックライトユニット１０４のＬＥＤで発光することから、輝度不足という問題を解消することが可能になる。
一方、輝度決定手段４０８では、暗いシーンの場合（つまり、黒浮きの抑制が必要とされる場合）には、処理の対象となる領域内における輝度の最小値及び平均値に前記保持手段に保持された重み値を乗算した値によりバックライトユニット１０４のＬＥＤで発光することから、黒浮きの抑制が可能になるものである。
また、輝度決定手段４０８では、中間の明るさのシーンの場合（つまり、黒浮きとピーク輝度のバランスをとる必要がある場合）には、処理の対象となる領域内における平均の輝度によりバックライトユニット１０４のＬＥＤで発光することから、バランスの取れた表示を行うことが可能になるものである。
【００４３】
このような処理により、上述した第１の処理と比較して、分割された領域において検出された輝度の最大値と平均値の間の輝度及び輝度の最小値と平均値の間の輝度を採用することが可能になることから、より、幅の広い映像表現が可能になり、上述した黒浮き及び輝度の低下という問題を両立させることにより、ユーザーに違和感のない映像を提供することが可能になるものである。
【００４４】
なお、上述した説明においては、全画面の特徴量として、平均の輝度を使用したが、本発明はこれに限定されるものではなく、図１１に示すように画素の分散値を使用する構成を採用することも可能であり、図１２に示すように画素の周波数成分を使用する構成を採用することも可能であり、図１３に示すように特定色の色面積を使用する構成を採用することも可能である。
【００４５】
図１１から明らかなように、画素の分散値が大きい場合には、領域内で検出された輝度の最大値及び平均値に保持手段に保持された重み値を乗算した値に発光輝度を設定し、画素の分散値が小さい場合には、領域内で検出された輝度の最小値及び平均値に保持手段に保持された重み値を乗算した値に発光輝度を設定し、画素の分散値が中間の場合には、領域内で検出された輝度の中間値により発光輝度を設定する。
【００４６】
また、図１２から明らかなように、画素の周波数成分が大きい場合には、領域内で検出された輝度の最大値及び平均値に保持手段に保持された重み値を乗算した値に発光輝度を設定し、画素の周波数成分が小さい場合には、領域内で検出された輝度の最小値及び平均値に保持手段に保持された重み値を乗算した値に発光輝度を設定し、画素の周波数成分が中間の場合には、領域内で検出された輝度の中間値により発光輝度を設定する。
【００４７】
また、図１３から明らかなように、特定色の色面積（例えば、特定色が白の場合）が大きい場合には、領域内で検出された輝度の最大値及び平均値に保持手段に保持された重み値を乗算した値に発光輝度を設定し、特定色の色面積が小さい場合には、領域内で検出された輝度の最小値及び平均値に保持手段に保持された重み値を乗算した値に発光輝度を設定し、画素の分散値が中間の場合には、領域内で検出された輝度の中間値により発光輝度を設定する。
なお、当然のことながら、特定色が黒色の場合には、上述した白の場合と発光輝度の設定が反対となる。具体的には、特定色の色面積が大きい場合には、領域内で検出された輝度の最小値及び平均値に保持手段に保持された重み値を乗算した値により発光輝度を設定し、特定色の色面積が小さい場合には、領域内で検出された輝度の最大値及び平均値に保持手段に保持された重み値を乗算した値により発光輝度を設定し、画素の分散値が中間の場合には、領域内で検出された輝度の中間値により発光輝度を設定する。
【００４８】
このような処理により、分割された各領域の発光輝度を設定する際に、全画面のシーンの特徴を考慮して、分割された領域の発光輝度を設定することから、黒浮き及び輝度不足の問題を抑制することが可能になり、ユーザーに違和感を与えない映像を提供することが可能になるものである。
【００４９】
また、上述した説明においては、分割した領域の特徴量として、輝度の最大値、最小値、平均値を使用したが、本発明はこれに限定されるものではなく、図１４に示すように分割された領域の特徴量として輝度の最大値、平均値、特定色の色面積に対応した輝度を使用し、全画面の特徴量として輝度の平均値を採用する構成を採用することも可能であり、図１５に示すように分割された領域の特徴量として輝度の最大値、平均値、特定色の色面積に対応した輝度を使用し、全画面の特徴量として画素の分散値を採用する構成を採用することも可能であり、図１６に示すように分割された領域の特徴量として輝度の最大値、平均値、特定色の色面積に対応した輝度を使用し、全画面の特徴量として画素の周波数成分を使用する構成を採用することも可能であり、図１７に示すように分割された領域の特徴量として輝度の最大値、平均値、特定色の色面積に対応した輝度を使用し、全画面の特徴量として特定色の色面積を使用する構成を採用することも可能である。
【００５０】
また、図１４から明らかなように、全画面の特徴量として輝度の平均値が高い場合には、領域内で検出された特定色の色面積（例えば、特定色が白の場合）に対応した輝度及び輝度の最大値に保持手段に保持された重み値を乗算した値により発光輝度を設定し、輝度の平均値が小さい場合には、領域内で検出された平均輝度及び輝度の最大値に保持手段に保持された重み値を乗算した値により発光輝度を設定し、輝度の平均値が中間の場合には、領域内で検出された輝度の最大値により発光輝度を設定する。
【００５１】
また、図１５から明らかなように、画素の分散値が大きい場合には、領域内で検出された特定色の色面積（例えば、特定色が白の場合）に対応した輝度及び輝度の最大値に保持手段に保持された重み値を乗算した値により発光輝度を設定し、画素の分散値が小さい場合には、領域内で検出された平均輝度及び輝度の最大値に保持手段に保持された重み値を乗算した値により発光輝度を設定し、画素の分散値が中間の場合には、領域内で検出された輝度の最大値により発光輝度を設定する。
【００５２】
また、図１６から明らかなように、画素の周波数成分が大きい場合には、領域内で検出された特定色の色面積（例えば、特定色が白の場合）に対応した輝度及び輝度の最大値に保持手段に保持された重み値を乗算した値により発光輝度を設定し、画素の周波数成分が小さい場合には、領域内で検出された平均輝度及び輝度の最大値に保持手段に保持された重み値を乗算した値により発光輝度を設定し、画素の周波数成分が中間の場合には、領域内で検出された輝度の最大値により発光輝度を設定する。
【００５３】
また、図１７から明らかなように、特定色の色面積が大きい場合には、領域内で検出された特定色の色面積（例えば、特定色が白の場合）に対応した輝度及び輝度の最大値に保持手段に保持された重み値を乗算した値により発光輝度を設定し、特定色の色面積が小さい場合には、領域内で検出された平均輝度及び輝度の最大値に保持手段に保持された重み値を乗算した値により発光輝度を設定し、画素の分散値が中間の場合には、領域内で検出された輝度の最大値により発光輝度を設定する。
なお、当然のことながら、特定色が黒色の場合には、上述した白の場合と発光輝度の設定が反対となる。具体的には、特定色の色面積が大きい場合には、領域内で検出された平均輝度及び輝度の最大値に保持手段に保持された重み値を乗算した値により発光輝度を設定し、特定色の色面積が小さい場合には、領域内で検出された特定色の色面積に対応した輝度及び輝度の最大値に保持手段に保持された重み値を乗算した値により発光輝度を設定し、画素の分散値が中間の場合には、領域内で検出された輝度の最大値により発光輝度を設定する。
【００５４】
このような処理により、分割された各領域の発光輝度を設定する際に、全画面のシーンの特徴を考慮して、分割された領域の発光輝度を設定することから、黒浮き及び輝度不足の問題を抑制することが可能になり、ユーザーに違和感を与えない映像を提供することが可能になるものである。
【００５５】
なお、上述した処理は、本発明における処理の一例であり、上述した以外、又は上述した複数のパラメータにより画像の特徴量を検出し、輝度決定手段４０８において、バックライトユニット１０４のＬＥＤの発光輝度を設定することも可能である。
また、重み値の設定方法は、上述した方法以外に設定することも可能である。例えば、図１８に示すように、重み値を決定する関数を多次元に設定することも可能である。また、図１８では重み付けの境界が明確に分けられているが、重みが徐々に変化するようにしても良い。また、重みの付け方は一例であり、それぞれの特徴量検出値の順番、重みの割合等、重みの付け方は任意に決めることができる。また、これ以外の複数の領域内特徴量を用いて、それぞれの重み付け平均を用いるようにしても良い。また、重み付けの基準となる全画面特徴量として平均値を用いているが、これ以外の特徴量を用いても良い。
＜１−４、全画面特徴量検出手段１０８の変形例について＞
次に、全画面特徴量検出手段１０８の変形例について、図１及び図１９を参照しながら説明する。この変形例は、図１９に示すような、いわゆるレターボックス方式（ａ）やサイドバー方式（ｂ）のような画像を処理する場合に適用する。
【００５６】
上述した全画面特徴量検出手段１０８においては特徴量として、表示パネル１００に表示する１画面の輝度の平均値、最大値、最小値、低周波成分検出値（周波数スペクトルの低周波成分の大きさ）、高周波成分検出値（周波数スペクトルの高周波成分の大きさ）、ダイナミックレンジ（輝度の最大値と最小値の差）、輝度の最大値と最小値の平均値、領域内の特定色の面積、領域内の画素の分散値（ヒストグラムの分布を表す値）を検出することを説明したが、例えばレターボックス方式やサイドバー方式のような表示の場合には、画面の一部の領域には黒色の表示（黒帯表示領域）がなされており、例えば、画面全体の平均輝度を検出する場合に、レターボックス方式やサイドバー方式で表示していない場合と比較して、全体の輝度が低下してしまう。
【００５７】
この場合、ユーザーがリモコン等により、レターボックス方式やサイドバー方式により表示されている画像に対して、黒帯表示領域を表示しないモードを選択した場合には、急に画面全体の平均輝度が変化するため、しいては、分割された領域に設定する輝度も変化するという問題が生じる。
【００５８】
これに対して、全画面特徴量検出手段１０８の変形例である全画面特徴量検出手段１０８０（図示せず）においては、特定領域（レターボックス方式又はサイドバー方式における黒帯表示領域）を除いた画像について特徴量を検出する。なお、その後の処理については、上述した処理と同様の処理を行うため、説明は省略する。
【００５９】
このような構成により、例えば、全画面特徴量検出手段１０８０において画面全体の平均輝度を検出する場合には、レターボックス方式又はサイドバー方式と通常の黒帯表示領域を有しない映像が変化する場合であっても、画面全体の平均輝度は大きく変化することはないため、レターボックス方式又はサイドバー方式であるか、通常の黒帯表示領域を有しない映像であるかによって、分割された領域ごとの処理方法が異なることは少なくなり、輝度の急激な変化によりユーザーに与える違和感を軽減することが可能になるものである。
＜１−５、輝度決定手段１１２の変形例について＞
次に、輝度決定手段１１２の変形例について、図１及び図２０、図２１を参照しながら説明する。この変形例は、図２０に示すような、いわゆるＯＳＤ（On Screen Device）のような画像を処理する場合に適用する。
【００６０】
上述した輝度決定手段１１２においては、全画面の特徴を検出する全画面特徴量検出手段１０８と領域内特徴量検出手段１１０とを入力として、輝度を決定することを説明したが、例えば、図２０に示すようなＯＳＤ領域を表示している場合であっても、全画面特徴量検出手段１０８により検出した特徴量に応じて、画面ごとにＯＳＤ領域を表示する輝度も変化することとなる。
【００６１】
この場合、ＯＳＤ領域については、常に同一の輝度で表示することが望ましいにもかかわらず、ＯＳＤ領域以外の他の領域の影響を受けて、ＯＳＤ領域の発光輝度が変化するという問題が生じる。
【００６２】
これに対して、輝度決定手段１１２の変形例である輝度決定手段１１２０においては、図２１に示すように、さらに表示される画像においてＯＳＤ領域の有無を検出するＯＳＤ領域検出手段１１２２を設け、ＯＳＤ領域が存在する場合には、輝度決定手段１１２０に領域が存在すること及びＯＳＤの領域情報（領域場所、領域の大きさ等）を通知する。
輝度決定手段１１２０においては、ＯＳＤ領域検出手段１１２２からＯＳＤ領域が存在すること及びＯＳＤの領域情報を受けた場合には、当該ＯＳＤ領域については、一定の発光輝度により発光するように設定を行う。例えば、ＯＳＤ領域の領域内における平均輝度などにより発光輝度を固定することが考えられる。なお、その他の処理については、上述した内容と重複するため、その説明を省略する。
【００６３】
このような構成により、例えば、輝度決定手段１１２０において、バックライトユニット１０４のＬＥＤの発光輝度を決定する場合については、分割された各領域の発光輝度を設定する際に、全画面のシーンの特徴を考慮して、分割された領域の発光輝度を設定することから、黒浮き及び輝度不足の問題を抑制することが可能になり、ユーザーに違和感を与えない映像を提供することが可能になるとともに、ＯＳＤ領域については、固定された発光輝度により発光を行うことから、ＯＳＤ領域については常に同一の輝度で表示することが可能になるものである。
＜１−６、輝度決定手段１１２の変形例２について＞
次に、輝度決定手段１１２の変形例について、図１０、図２２を参照しながら説明する。上述したように、図１０においては、全画面特徴量検出手段１０８により検出された画面全体の特徴量と、所定の閾値Ａ，Ｂ，Ｃ，Ｄ，Ｅ，Ｆとを比較することにより、領域内特徴量検出手段１１０により検出した特徴量のどの値を使用するかという設定を行っている。上述した説明においては、所定の閾値Ａ，Ｂ，Ｃ，Ｄ，Ｅ，Ｆが固定値の場合について説明したが、本願発明はこれに限定されるものではなく、所定の閾値Ａ，Ｂ，Ｃ，Ｄ，Ｅ，Ｆを可変にする構成を採用することも可能である。
【００６４】
例えば、店頭に表示する場合や家庭内で表示する場合についても、適切な表示輝度は異なる。店頭で表示する場合には、周囲の照明の輝度が高いため、より画像を明るく設定することが望ましく、また、家庭内で表示する場合には、店頭で表示する場合と比較して、より画像を暗く設定することが望ましい。また、入力された映像の種別が映画である場合やサッカーや野球のようなスポーツの場合、ニュースの場合によって、適切な表示輝度は異なる。例えば、映像の種別が映画である場合には、より画像を暗く設定することが望ましく、また、サッカーや野球のようなスポーツの場合には、より画像を明るく設定することが望ましい場合もある。
そこで、本願発明においては、入力された映像の種別や表示モード（店頭モード、通常モード等）を識別する識別手段２０００を設け、輝度決定手段１１２０の閾値を変化させることにより、入力された映像の種別や表示モードに応じて適切なバックライトの表示輝度を設定することが可能になるものである。
【産業上の利用可能性】
【００６５】
本発明は、分割された各領域の発光輝度を設定する際に、全画面のシーンの特徴を考慮して、分割された領域の発光輝度を設定することから、黒浮き及び輝度不足の問題を抑制することが可能になり、ユーザーに違和感を与えない映像を提供することが可能になる表示装置及び表示装置の駆動方法として有用である。
【符号の説明】
【００６６】
１００    表示パネル
１０２    パネル駆動手段
１０４    バックライトユニット
１０６    駆動手段
１０８    全画面特徴量検出手段
１１０    領域内特徴量検出手段
１１２    輝度決定手段
４００    最大値検出手段
４０２    最小値検出手段
４０４    平均値検出手段
４０６    平均値検出手段
４０８    輝度決定手段
１１２０    輝度決定手段
１１２２    ＯＳＤ領域検出手段
２０００    識別手段
【図１】
2012137509.tif 000003
【図２】
2012137509.tif 000004
【図３】
2012137509.tif 000005
【図４】
2012137509.tif 000006
【図５】
2012137509.tif 000007
【図６】
2012137509.tif 000008
【図７】
2012137509.tif 000009
【図８】
2012137509.tif 000010
【図９】
2012137509.tif 000011
【図１０】
2012137509.tif 000012
【図１１】
2012137509.tif 000013
【図１２】
2012137509.tif 000014
【図１３】
2012137509.tif 000015
【図１４】
2012137509.tif 000016
【図１５】
2012137509.tif 000017
【図１６】
2012137509.tif 000018
【図１７】
2012137509.tif 000019
【図１８】
2012137509.tif 000020
【図１９】
2012137509.tif 000021
【図２０】
2012137509.tif 000022
【図２１】
2012137509.tif 000023
【図２２】
2012137509.tif 000024
【図２３】
2012137509.tif 000025
【図２４】
2012137509.tif 000026